(57)【要約】本発明は、中央折り曲げ部において接着されるとともに折り重ねられて閉じている小冊子の製造方法に関する。本発明は、同一の形の紙からなる複数のシートを積み重ね、中央部に沿って横断するようにして塗布された接着剤の継ぎ目により接合（接着）し、次に、前記シートを折り曲げることによって特徴付けられる。前述の接着剤の継ぎ目は中央ヒンジ（１）を形成し、中央ヒンジ（１）を中心として対称なシート（２）が接続されている。各シートは、折り曲げ線（３）を中央に沿って有しおり、折り曲げ線によって端部パネル（４ａ）と中央パネル（４ｂ）とに区分けされている。次に、端部パネル（４ａ）の内側面が中央ヒンジ（１）を中心として連結された中央パネル（４ｂ）の内側面に対して押しつけられるようにして、すべての積み重ねられた端部パネル（４ａ）の内側面を、すべての積み重ねられた中央パネルの内側面に対し、折り曲げ部を利用してばらばらのまま同時に折り重ねる。縁部に沿った線状または適切な位置における滴状の形態をとって接着剤が小冊子の２つの面に塗布され、次に、閉じるために小冊子の内側面同士が接触させられる。
2006520279.tif 000002
【特許請求の範囲】
【請求項１】
中央折り曲げ部において接着されるとともに折り重ねられて閉じている小冊子の製造方法において、
同一の材料、同一の厚み、および同一の形の紙からなる複数のシートを、積み重ね、横断するようにして中央部に塗布された接着剤からなる継ぎ目により接合する工程と、
次に、中央ヒンジ（１）をなす接着剤の継ぎ目のところで積み重ねられたシートをまとめて折り曲げ、折り曲げ線（３）を中央に有し折り曲げ線によって端部パネル（４ａ）と中央パネル（４ｂ）とに区分けされた対称なシートが、中央ヒンジ（１）を中心として連結されているようにする工程と、
次に、積み重ねられた端部パネル（４ａ）全体の内側面を、「折り畳み財布」の折り曲げ部のような第２の折り曲げ部を利用して、中央ヒンジ（１）を中心として連結されている積み重ねられた中央パネル（４ｂ）全体の内側面に対して、同時に折り重ね、その後、端部パネル（４ａ）の内側面を中央ヒンジ（１）を中心として連結された中央パネル（４ｂ）の内側面に対して押圧する工程と、
最後に、その２つの面の縁部または他の適切な位置に線状またはいくつかの点状の一時的な接着剤を塗布し、小冊子の内側面を互いに接触させて小冊子を閉じる工程と、を備えた
ことを特徴とする小冊子の製造方法。
【請求項２】
折り重ねられて閉じている小冊子の表紙は、折り曲げ操作の前に他の積み重ねられたシートの下方に配置されていたシートの外側中央パネル（４ｂ）からなっている
ことを特徴とする請求項１に記載の小冊子の製造方法。
【請求項３】
各シート（２）の中央にある折り曲げ線（３）に穴の列が形成され、これにより、小冊子の折り重ねを戻した後に端部パネル（４ａ）の切り取りを容易にする
ことを特徴とする請求項１に記載の小冊子の製造方法。
【請求項４】
小冊子中のどの位置にあるか関係なくいずれかのシートにおける１以上の端部パネル（４ａ）の切り取りが、中央折り曲げ部で接着された小冊子の中央パネル（４ｂ）を保持する結合に影響を及ぼさない
ことを特徴とする請求項１または３に記載の小冊子の製造方法。
【請求項５】
閉じている小冊子を適切に切り開くことにより、中央ヒンジ（１）および対称なシート（２）の折り曲げ線（３）の少なくとも一部が残存する場合に結合が維持され、小冊子が媒体として用いられ得る
ことを特徴とする請求項１乃至４のいずれか一項に記載の小冊子の製造方法。
【発明の詳細な説明】
【発明の関連する分野】
【０００１】
本発明は、中央折り曲げ部において接着された小冊子であって、そのシートが折り重ねられ（折り畳まれ）、その後、最終的に接着剤によって閉じるようにまとめて押圧された小冊子の製造方法に関する。
【０００２】
得られる小冊子は、非限定的な適用ではあるが、とりわけ情報媒体、説明書、または製品範囲のプレゼンテーション用書類として用いられる。
【従来から存在する方法】
【０００３】
これらの目的で用いられる小冊子（ブックレット）は、既によく知られている。これらは各種の製品および器具に添付され、消費者および使用者に商品または技術的な性質についての情報を提供する。これらの媒体の主たる欠点は取り扱い性質の煩雑さに関するものであり、折り重ね（折り畳み）を戻した後にこれらを読むことは困難であった。
【０００４】
これらの準備に用いられる既知の方法によれば、小冊子（ブックレット）のシートをつぶした形態に折り畳む場合、折り畳みを戻すことによって、かさばるおよび形がばらばらになるといった品質を小冊子にもたらし、このことが小冊子を取り扱うことおよび読むことを不便にさせる。シートを折り畳まれてなる小冊子が、他の折り畳まれたシート上に折り重ねられ中心から外れた位置にある端部シートによって、囲まれている場合も同様であり、小冊子を開く際にこのカバーシートが小冊子の取り扱いを煩雑にする。
【０００５】
同様に、小さな形状の情報媒体が市場に出回る場合、しばしば情報媒体は雑誌のページ間に挟まれ、接着剤の滴（点）によって１つのページに貼り付けられる。この媒体が小冊子の形態を取っている場合、準備に用いられる既知の折り重ね方法が上述の不具合点をもたらすことが見受けられる。仮に媒体が１枚のシートの形態を取っていれば、この小さい形態によって、情報に利用され得る領域が非常に限られる。
【発明の開示】
【０００６】
本発明による小冊子の製造方法は、これらの不都合を解決することを目的としている。この方法は情報の記載者に豊富な印字領域を有用にもたらし、印字領域は、要求に従い、小冊子の準備に使用されるシートの数量に応じて増やすことができる。さらに、開いた後にシートが中央折り畳み部に固定されたままとなる、取り扱い易く読み易い本を使用者に提供する。
【０００７】
小冊子の製造方法は、同一の材料、同一の厚み、および同一の形の紙からなる複数のシートを積み重ね、次に、横断するようにして中央部に塗布された接着剤の継ぎ目（つなぎ目）により接合（接着）し、その後、中央ヒンジを形成する接着剤の継ぎ目のところで積み重ねられたシートを折り曲げ、折り曲げ線を中央に有し折り曲げ線によって端部パネルと中央パネルとに区分けされた対称なシートが、中央ヒンジを中心として連結（接続）されているようにし、次に、すべての積み重ねられた端部パネルの内側面を、「折り畳み財布」の折り曲げ部として知られているようなタイプの折り曲げ部を利用して、中央ヒンジを中心として連結（接続）されているすべての積み重ねられた中央パネルの内側面に対して、一度に折り重ね、その後、端部パネルの内側面を中央ヒンジを中心として連結された中央パネルの内側面に対して押圧し、最後に、縁部または他の適切な位置に線状またはいくつかの点状の一時的な接着剤（仮の接着剤）を塗布された２つの小冊子の内側面同士を互いに接触させて小冊子を閉じ、これにより、小冊子を閉じた状態に保持する、点において特徴付けられる。
【０００８】
最初に積み重ねられて互いに接合される同一のシートの数量が増すにつれ、その外側面領域との関連において、小冊子上に利用可能な面の量が増大する、といった効果が一連の折り畳み操作によって得られる。本発明による創作物によれば、シートを積み重ねることによって、中央ヒンジによってまとめて接合された紙のシートの印字領域に対し、閉じている小冊子の視認可能な面の領域を増大させること以外にも、多様な効果をもたらす。
【０００９】
したがって、本発明により、積み重ねられ、接着され、折り重ねられた２枚の同一のシートからなる小冊子は、情報を印字され得る１６の外側および内側の面を有する。仮に、小冊子が積み重ねられた５枚のシートからなる場合、小冊子は、閉じた後における外形状を変化させることなく、４０の面を有するようになり、その他の場合も同様となる。
【００１０】
創出される小冊子が少なくとも２つの同一のシートを有することが必要になる場合、本発明による創作物によれば、小冊子が、上述の接着および折り重ね動作の前に、積み重ねられた数十枚のシートから構成されるようにすることができる。
【００１１】
上述の小冊子の製造方法において、小冊子の各シートが２つのだけのパネルを有するようにしていることに注意すべきである。
【００１２】
各々のシートが各シートを同じ大きさからなる３つのパネルに分割する２つの折り曲げ線を有する場合においても、同様にこの方法を適用することができる。この場合、第２の「折り畳み財布」方式折り重ねを実施するとともに最終的に最後に小冊子を閉じた状態に保持するため接着剤を塗布する前に、第１段階として端部パネルを中間パネル上に折り重ねて、これにより小冊子のシートをこれまでの記載により説明したものと同一の形態にするようにして、「折り畳み財布」方式からなる二度の折り重ね操作を実施することが最も好ましい。
【００１３】
本発明の対象方法の好ましい実施の形態においては、返信券または割引券として用いられるべき切り取り可能（切り離し可能）な端部パネルを有する小冊子が得られる。
【００１４】
各シートの中央にある折り曲げ線が、紙に設けられた穴の列（ミシン目）によって目立たされていてもよいし、目立たされていなくてもよい。これにより、穴の列（ミシン目）は中央パネルから端部パネルを区分けし、使用者によって小冊子の折り重ねが戻された後における端部パネルの切り離しを容易にする。
【００１５】
本発明による方法によって製造された小冊子によれば、中央ヒンジのところで接着されて接続（接合）されている積み重ねられたシートにおいて、返信券または割引券として用いられ得る端部パネルの数を増加させることができる。
【００１６】
これらいずれのクーポンについても、クーポンの切り取りが小冊子の結合に影響を及ぼすことはなく、半券または控えとして用いられ得る中央パネルが保持されていることにより、読み易い状態が維持される。
【発明の実施の形態】
【００１７】
図面を参照すると、同一形の紙からなるシートが他のシートの上部に積み重ねられ（図１）、次に、中央ヒンジ（１）を構成するようになる接着剤からなる継ぎ目（つなぎめ、図２）により、その中央部において横断して接合（接着）される。この中央ヒンジ（１）を中心として、対称なシート（２）は連結（接続）されている。各対称シート（２）は中央に折り曲げ線（３）を有し、折り曲げ線は端部パネル（４ａ）と中央パネル（４ｂ）とを区画している。
【００１８】
小冊子の閉じ込み（閉鎖）に先立って行われる「折り畳み財布」方式の折り重ね（折り畳み）についての一連の処理が、図３および図４に示されている。
【００１９】
図３は、シート（２）の端部（４ａ）に配置されている積み重ねられたパネル全体の内側面上の折り曲げ線（３）を中心として折り曲げられたシートを示している。積み重ねられた端部パネル（４ａ）全体の内側面は、中央ヒンジ（１）を中心として連結されている積み重ねられた中央パネル（４ｂ）全体の内側面に対して、同時に折り重ねられる。図４に示されているように、この折り重ね操作後に、端部パネル（４ａ）の内側面は、中央パネル（４ｂ）の内側面に対して押圧される。
【００２０】
次に、小冊子の閉じ込みが（小冊子を閉じることが）、小冊子の内側面同士を互いに接近させることによって達成される。閉じ込みの前に、小冊子の２つの面は、線状または滴状（点状）の接着剤（５）を縁部または他の適切な場所に塗布される。したがって、折り重ねられて閉じている小冊子のカバーは、折り重ね操作の前に他の積み重ねられたシートの下方（底）に配置されていたシートの外側中央パネル（４ｂ）によって構成される。
【００２１】
開いて折り重ねを戻した後、小冊子は均整が取れたままであり、使用者が１以上の端部パネル（４ａ）を切り取った（切り離した）としても、シート（２）が中央ヒンジ（１）に接合されたままに維持することができる。したがって、図５は、開かれて折り重ねを戻された小冊子を示しており、小冊子から右側の内側端部パネル（４ａ）および左側の外側端部パネル（４ａ）が切り離されている。
【００２２】
シートの内側面を分離させて小冊子の折り返しを戻す際に、使用者はすぐさま非常に大量の情報を得ることができる。このとき、各シートは中央ヒンジ（１）を介し他のシートに接合されたままとなっているため、折り重ねを戻すことによって、情報を保持する多数のシート（２）が取り扱い上の問題をより困難にすることはない。
【００２３】
さらに、その包装またはケース内で、食料品であるか否かを問わないいずれかの製品あるいはいずれかの器具に添付されることを意図された情報源として用いられる小冊子は、この製品または器具を開梱する際またはケースから取り出す際、折り重ねを戻されない。なぜなら、折り重ね操作および接着操作は、この点で、小冊子が不適切に開いてしまうことを妨げるからである。
【００２４】
小冊子の使用者にとってのこの利益は、産業の分野に存在する他の利益を付加する。すなわち、接着による最終的な閉じ込みは、不適切に開いてしまう危険性を取り除き、小冊子の取り扱いを容易にする。したがって、閉じている小冊子の１つの面上への接着剤の滴の塗布後において、取り扱いの容易性は、包装用箱、プラスチックバッグ、食料製品用の缶、新聞紙または情報雑誌等のような小冊子（記載されたものに限定されない）が関連し得るいずれかのタイプの支持部材上への、自動運転での配置を可能にする。
【００２５】
上述のことから離れ、最終的な切り開き（cutting-out）操作により、本発明によって形成されて閉じている小冊子が、適用を意図されている香水ボトルや形態電話等のような製品または器具の形状をなすようにすることも可能である。切り開きは、積み重ねられたシートを中央においてまとめて保持する中央ヒンジ（１）および端部パネル（４ａ）と中央パネル（４ｂ）とに分離する対称なシート（２）の折り曲げ線（３）を全体的に取り除かない限り、事前に実行された接着および折り重ねの方法に影響を及ぼさない。
【図面の簡単な説明】
【００２６】
【図１】図１は、中央折り曲げ部で接着を行う前における、小冊子をなす５枚の積み重ねられたシートの斜視図である。
【図２】図２は、接着後における接合された同一のシートを示す図である。
【図３】図３は、接着剤の滴により閉じられる前における、小冊子のシートを「折り畳み財布」方式にて折り曲げる方法を示す図である。
【図４】図４は、接着剤の滴により閉じられる前における、小冊子のシートを「折り畳み財布」方式にて折り曲げる方法を示す図である。
【図５】クーポンまたはバウチャー券として用いられる端部パネルを切り取った後における、開かれ折り重ねられていない小冊子を示す図である。
【図１】
2006520279.tif 000003
【図２】
2006520279.tif 000004
【図３】
2006520279.tif 000005
【図４】
2006520279.tif 000006
【図５】
2006520279.tif 000007
【国際調査報告】
2006520279.tif 000008
2006520279.tif 000009
2006520279.tif 000010
2006520279.tif 000011